(57)【特許請求の範囲】
【請求項１】
データを再生する再生装置であって、
データを記憶する記憶部と、
操作コマンドを入力する操作入力部と、
複数の再生装置のうちの他の再生装置とデータを蓄積するサーバと、通信ネットワークを介して接続する通信部と、
前記操作コマンドの内容を解析するコマンド解析部と、
データを再生する再生部と、
前記再生装置を制御する制御部と、を備え、
前記操作入力部による前記操作コマンドを入力された前記再生装置の前記制御部は、
当該操作コマンドと同じ内容の操作コマンドを、前記通信部を介して前記他の再生装置に送信し、
前記コマンド解析部により解析された前記操作コマンドが、前記複数の再生装置各々で協調して再生される前記データを指定した協調表示コマンドの場合、指定された再生対象である前記データを、前記通信部を介して接続された前記サーバ、前記通信部を介して接続された前記他の再生装置の前記記憶部、当該再生装置の前記記憶部、の何れか一つから取得し、取得した前記データを当該再生部に再生させ、
前記コマンド解析部により解析された前記操作コマンドが、前記複数の再生装置各々で協調して再生される前記データの再生状態の調整情報を含む協調調整コマンドの場合、前記調整情報に従って、当該再生部における前記データの再生状態を調整し、
前記再生装置が送信した前記操作コマンドを受信した前記他の再生装置は、前記操作コマンドの内容を解析する第２のコマンド解析部とデータを再生する第２の再生部と当該再生装置を制御する第２の制御部を備え、
前記第２の制御部は、
前記第２のコマンド解析部により解析された前記操作コマンドが、前記複数の再生装置各々で協調して再生される前記データを指定した協調表示コマンドの場合、指定された再生対象である前記データを、前記通信部を介して接続された前記サーバ、前記通信部を介して接続された前記再生装置の前記記憶部、当該再生装置の前記記憶部、の何れか一つから取得し、取得した前記データを前記第２の再生部に再生させ、
前記第２のコマンド解析部により解析された前記操作コマンドが、前記複数の再生装置各々で協調して再生される前記データの再生状態の調整情報を含む協調調整コマンドの場合、前記調整情報に従って、前記第２の再生部における前記データの再生状態を調整する、
ことを特徴とする再生装置。
【請求項２】
前記協調表示コマンドの再生対象には、複数の前記データが含まれ、
前記協調調整コマンドには、再生対象となっている複数の前記データのうちの少なくとも一部の前記データの前記調整情報が含まれており、
前記制御部は、
前記調整情報に係る前記データの再生状態を調整する、
ことを特徴とする請求項１に記載の再生装置。
【請求項３】
前記データは、画像データ又は音声データであり、
前記再生部は、画像を表示する表示部又は音声を再生する音声再生部である、
ことを特徴とする請求項１又は２に記載の再生装置。
【請求項４】
互いに通信ネットワークを介して接続された請求項１乃至３のいずれか一項に記載の再生装置を複数備える再生システム。
【請求項５】
前記通信ネットワークに接続された前記再生装置によって再生される前記データを蓄積するサーバをさらに備える、
ことを特徴とする請求項４に記載の再生システム。
【請求項６】
前記協調表示コマンドは、前記複数の再生装置のうちの一方が記憶する前記データと、他方が記憶する前記データとの２画面表示のコマンドであることを特徴とする請求項１乃至３のいずれか一項に記載の再生装置。
【請求項７】
前記協調調整コマンドは、拡大率と拡大する際の基準となる基準座標の情報を含むことを特徴とする請求項１乃至３のいずれか一項に記載の再生装置。
【請求項８】
データを記憶する記憶部と、
操作コマンドを入力する操作入力部と、
複数の再生装置のうちの他の再生装置とデータを蓄積するサーバと、通信ネットワークを介して接続する通信部と、
データを再生する再生部と、
を備える再生装置を制御するコンピュータに実行させるプログラムであって、
前記操作入力部による前記操作コマンドを入力された前記再生装置の前記コンピュータを、
前記操作コマンドの内容を解析するコマンド解析手段と、
前記操作コマンドと同じ内容の操作コマンドを、前記通信部を介して前記他の再生装置に送信する送信手段と、
前記コマンド解析手段により解析された前記操作コマンドが、前記複数の再生装置各々で協調して再生される前記データを指定した協調表示コマンドの場合、指定された再生対象である前記データを、前記通信部を介して接続された前記サーバ、前記通信部を介して接続された前記他の再生装置の前記記憶部、当該再生装置の前記記憶部、の何れか一つから取得し、取得した前記データを当該再生部に再生させる再生手段と、
前記コマンド解析手段により解析された前記操作コマンドが、前記複数の再生装置各々で協調して再生される前記データの再生状態の調整情報を含む協調調整コマンドの場合、前記調整情報に従って、当該再生部における前記データの再生状態を調整する調整手段と、
として機能させ、
データを再生する第２の再生部を備える前記他の再生装置の前記コンピュータを、
前記通信部を介して前記操作コマンドを受信する受信手段と、
前記操作コマンドの内容を解析する第２のコマンド解析手段と、
前記第２のコマンド解析手段により解析された前記操作コマンドが、前記複数の再生装置各々で協調して再生される前記データを指定した協調表示コマンドの場合、指定された再生対象である前記データを、前記通信部を介して接続された前記サーバ、前記通信部を介して接続された前記再生装置の前記記憶部、当該再生装置の前記記憶部、の何れか一つから取得し、取得した前記データを前記第２の再生部に再生させる第２の再生手段と、
前記第２のコマンド解析手段により解析された前記操作コマンドが、前記複数の再生装置各々で協調して再生される前記データの再生状態の調整情報を含む協調調整コマンドの場合、前記調整情報に従って、前記第２の再生部における前記データの再生状態を調整する第２の調整手段と、
して機能させるプログラム。
【発明の詳細な説明】
【技術分野】
【０００１】
本発明は、データを再生する再生装置、再生システム及びコンピュータに実行させるプログラムに関する。
【背景技術】
【０００２】
写真や動画を表示するデジタルフォトフレーム（以降、「ＤＰＦ」と略述する）が急速に普及してきている（例えば、特許文献１参照）。これまでのＤＰＦは、挿入されたフラッシュメモリカードからデータを読み出して、写真や動画を表示するものがほとんどであったが、最近では、インターネットに接続可能なものも開発されている。
【０００３】
インターネットに接続可能になることで、ＤＰＦから写真共有サイトへ直接アクセスできるようになるため、ＤＰＦの新たな使い方が広がることが期待されている。例えば、２台のＤＰＦに同じ写真を写真共有サイトからダウンロードして表示させることができる。これにより、例えば、孫と祖父母が、遠くにいながらにして、各ＤＰＦに表示された同じ写真を見ながら電話で楽しく会話することもできるようになる。
【０００４】
しかしながら、一方のＤＰＦに表示された写真を見る者がインターネットリテラシーの高くない者である場合には、自身で他方のＤＰＦに表示された写真を写真共有サイトからダウンロードするのが困難な場合もある。このような場合には、一方のＤＰＦからの遠隔操作により、自身のＤＰＦに表示された写真と同じ写真を他方のＤＰＦに表示できるにすれば、インターネットリテラシーの高くない者がいたとしても、両ＤＰＦに同じ写真を表示することができる。
【０００５】
一方のＤＰＦによる他方のＤＰＦの遠隔操作には、クライアント・サーバ等におけるターミナルの仕組みが利用されるのが一般的である。この仕組みでは、まず、自身のＤＰＦと、他方のＤＰＦとをピア・ツー・ピア（Peer to Peer）で接続する。そして、一方のＤＰＦから他方のＤＰＦにログインし、一方のＤＰＦから他方のＤＰＦを遠隔操作して写真共有サイトにアクセスし、一方のＤＰＦに表示された写真と同じ写真を他方のＤＰＦにも表示させる。
【先行技術文献】
【特許文献】
【０００６】
【特許文献１】特開２００９−１４１６７８号公報
【発明の概要】
【発明が解決しようとする課題】
【０００７】
しかしながら、このような仕組みでは、一方のＤＰＦを操作して写真をダウンロードした者が、さらに、その一方のＤＰＦから他方のＤＰＦを遠隔操作して、同一の写真を他方のＤＰＦにもダウンロードする必要がある。すなわち、この仕組みによれば、一方のＤＰＦからの他方のＤＰＦの遠隔操作という煩雑な操作が必要となるため、一方のユーザの操作負担が増大する。
【０００８】
本発明は、このような点に鑑み、その目的とするところは、ユーザの操作負担を軽減することができる再生装置、再生システム及びプログラムを提供することにある。
【課題を解決するための手段】
【０００９】
上記目的を達成するために、本発明の第１の観点に係る再生装置は、
データを再生する再生装置であって、
データを記憶する記憶部と、
操作コマンドを入力する操作入力部と、
複数の再生装置のうちの他の再生装置とデータを蓄積するサーバと、通信ネットワークを介して接続する通信部と、
前記操作コマンドの内容を解析するコマンド解析部と、
データを再生する再生部と、
前記再生装置を制御する制御部と、を備え、
前記操作入力部による前記操作コマンドを入力された前記再生装置の前記制御部は、
当該操作コマンドと同じ内容の操作コマンドを、前記通信部を介して前記他の再生装置に送信し、
前記コマンド解析部により解析された前記操作コマンドが、前記複数の再生装置各々で協調して再生される前記データを指定した協調表示コマンドの場合、指定された再生対象である前記データを、前記通信部を介して接続された前記サーバ、前記通信部を介して接続された前記他の再生装置の前記記憶部、当該再生装置の前記記憶部、の何れか一つから取得し、取得した前記データを当該再生部に再生させ、
前記コマンド解析部により解析された前記操作コマンドが、前記複数の再生装置各々で協調して再生される前記データの再生状態の調整情報を含む協調調整コマンドの場合、前記調整情報に従って、当該再生部における前記データの再生状態を調整し、
前記再生装置が送信した前記操作コマンドを受信した前記他の再生装置は、前記操作コマンドの内容を解析する第２のコマンド解析部とデータを再生する第２の再生部と当該再生装置を制御する第２の制御部を備え、
前記第２の制御部は、
前記第２のコマンド解析部により解析された前記操作コマンドが、前記複数の再生装置各々で協調して再生される前記データを指定した協調表示コマンドの場合、指定された再生対象である前記データを、前記通信部を介して接続された前記サーバ、前記通信部を介して接続された前記再生装置の前記記憶部、当該再生装置の前記記憶部、の何れか一つから取得し、取得した前記データを前記第２の再生部に再生させ、
前記第２のコマンド解析部により解析された前記操作コマンドが、前記複数の再生装置各々で協調して再生される前記データの再生状態の調整情報を含む協調調整コマンドの場合、前記調整情報に従って、前記第２の再生部における前記データの再生状態を調整する、
ことを特徴とする。
【００１０】
本発明の第２の観点に係る再生システムは、互いに通信ネットワークを介して接続された本発明の再生装置を複数備える。
【００１１】
本発明の第３の観点に係るプログラムは、
データを記憶する記憶部と、
操作コマンドを入力する操作入力部と、
複数の再生装置のうちの他の再生装置とデータを蓄積するサーバと、通信ネットワークを介して接続する通信部と、
データを再生する再生部と、
を備える再生装置を制御するコンピュータに実行させるプログラムであって、
前記操作入力部による前記操作コマンドを入力された前記再生装置の前記コンピュータを、
前記操作コマンドの内容を解析するコマンド解析手段と、
前記操作コマンドと同じ内容の操作コマンドを、前記通信部を介して前記他の再生装置に送信する送信手段と、
前記コマンド解析手段により解析された前記操作コマンドが、前記複数の再生装置各々で協調して再生される前記データを指定した協調表示コマンドの場合、指定された再生対象である前記データを、前記通信部を介して接続された前記サーバ、前記通信部を介して接続された前記他の再生装置の前記記憶部、当該再生装置の前記記憶部、の何れか一つから取得し、取得した前記データを当該再生部に再生させる再生手段と、
前記コマンド解析手段により解析された前記操作コマンドが、前記複数の再生装置各々で協調して再生される前記データの再生状態の調整情報を含む協調調整コマンドの場合、前記調整情報に従って、当該再生部における前記データの再生状態を調整する調整手段と、
として機能させ、
データを再生する第２の再生部を備える前記他の再生装置の前記コンピュータを、
前記通信部を介して前記操作コマンドを受信する受信手段と、
前記操作コマンドの内容を解析する第２のコマンド解析手段と、
前記第２のコマンド解析手段により解析された前記操作コマンドが、前記複数の再生装置各々で協調して再生される前記データを指定した協調表示コマンドの場合、指定された再生対象である前記データを、前記通信部を介して接続された前記サーバ、前記通信部を介して接続された前記再生装置の前記記憶部、当該再生装置の前記記憶部、の何れか一つから取得し、取得した前記データを前記第２の再生部に再生させる第２の再生手段と、
前記第２のコマンド解析手段により解析された前記操作コマンドが、前記複数の再生装置各々で協調して再生される前記データの再生状態の調整情報を含む協調調整コマンドの場合、前記調整情報に従って、前記第２の再生部における前記データの再生状態を調整する第２の調整手段と、
して機能させる。
【発明の効果】
【００１２】
本発明によれば、指定されたデータを協調して再生させるための協調再生コマンドを他の再生装置に送信するとともに、その協調再生コマンドに含まれる識別情報に係るデータを再生する。これにより、他の再生装置でも、指定されたデータを再生することができるので、複数の再生装置での同一のデータの協調再生が可能となる。すなわち、本発明によれば、操作コマンドを操作入力部に入力するだけで、複数の再生装置での同一のデータの協調再生が可能となるので、ユーザの操作負担を軽減することができる。
【図面の簡単な説明】
【００１３】
【図１】本発明の実施形態１に係る再生システムの構成を示す模式図である。
【図２】図１のデジタルフォトフレームの機能的な構成を示すブロック図である。
【図３】図２のデジタルフォトフレームのハードウエア構成を示すブロック図である。
【図４】図１のサーバの機能的な構成を示すブロック図である。
【図５】図４のサーバのハードウエア構成を示すブロック図である。
【図６】図１の２台のデジタルフォトフレームに同一の写真データを表示させる際の全体動作を示すシーケンス図である。
【図７】ピア・ツー・ピア接続が確立される様子を示す模式図である。
【図８】デジタルフォトフレーム間で協調表示コマンドが送受信される様子を示す模式図である。
【図９】一方のデジタルフォトフレームがサーバから写真データを取得して表示した様子を示す模式図である。
【図１０】同一の写真データを２台のデジタルフォトフレームで同時に表示した様子を示す模式図である。
【図１１】図１の２台のデジタルフォトフレームに表示される写真データの表示状態の調整する際の全体動作を示すシーケンス図である。
【図１２】デジタルフォトフレーム間で協調調整コマンドが送受信される様子を示す模式図である。
【図１３】２台のデジタルフォトフレーム各々に表示された同一の写真データが協調して拡大される様子を示す模式図である。
【図１４】図１４（Ａ）乃至図１４（Ｃ）は、２台のデジタルフォトフレーム各々からの操作により、写真データが拡大される様子を示す図である。
【図１５】図１の２台のデジタルフォトフレームに表示される写真データの表示状態を調整し、さらに再調整する際の全体動作を示すシーケンス図である。
【図１６】図１６（Ａ）乃至図１６（Ｃ）は、２台のデジタルフォトフレーム各々からの操作により、写真データが拡大される様子を示す図である。
【図１７】２台のデジタルフォトフレーム各々が記憶する写真データを同時に表示する際の全体動作を示すシーケンス図である。
【発明を実施するための形態】
【００１４】
本発明の実施形態について図面を参照して詳細に説明する。
【００１５】
まず、図１を参照して、本実施形態に係る再生システム１００の構成について説明する。図１に示すように、再生システム１００は、２台のデジタルフォトフレーム（以下、「ＤＰＦ」と略述する）１と、サーバ２と、を備えている。２台のＤＰＦ１とサーバ２は、インターネット３に接続されている。これにより、ＤＰＦ１間や各ＤＰＦ１とサーバ２との間で、データ通信が可能となる。
【００１６】
各ＤＰＦ１は、遠隔地（例えば、孫の家と祖父母の家）に設置されている。また、各ＤＰＦ１は、赤外線のリモートコントローラ（リモコン）４により操作可能である。なお、以下では、２台のＤＰＦ１を区別して説明する必要が有る場合に、２台のＤＰＦ１を、それぞれＤＰＦ１Ａ、ＤＰＦ１Ｂとも呼ぶ。
【００１７】
ＤＰＦ１は、デジタル写真を再生する再生装置である。ＤＰＦ１は、デジタルフォトスタンドとも呼ばれている。
【００１８】
サーバ２は、２台のＤＰＦ１によって共有されるデジタル写真を管理するサーバコンピュータである。このサーバ２によりＤＰＦ１の写真共有サイトが構築されている。
【００１９】
ＤＰＦ１の構成についてさらに詳細に説明する。図２には、ＤＰＦ１の機能的な構成が示されている。図２に示すように、ＤＰＦ１は、ユーザインターフェイス（Ｉ／Ｆ）１０と、表示部１１と、通信部１２と、メディアカード部１３と、記憶部１４と、制御部１５と、を備える。
【００２０】
また、図３には、ＤＰＦ１のハードウエア構成が示されている。図３に示すように、ＤＰＦ１は、そのハードウエア構成として、操作部３０と、入力コントローラ３１と、表示パネル３２と、表示コントローラ３３と、通信Ｉ／Ｆ３４と、通信コントローラ３５と、カードスロット３６と、メディアコントローラ３７と、メモリ３８と、メモリコントローラ３９と、ＣＰＵ（Central Processing Unit）４０と、バス４１と、を備える。図２に示す構成要素は、後述するように、図３に示すハードウエア構成に基づいて実現されている。
【００２１】
操作入力部としてのユーザＩ／Ｆ１０は、ユーザの操作入力を受け付けるインターフェイスである。図３に示すように、ユーザＩ／Ｆ１０は、操作部３０と、入力コントローラ３１と、に対応している。操作部３０は、キーボード、マウス、メニューボタン（入力キー）、リモコン４の受信部を有し、ユーザの操作入力を受け付ける。入力コントローラ３１は、操作部３０を制御しつつ、操作部３０で受け付けられた操作入力情報（操作コマンド）を制御部１５に出力する。
【００２２】
表示部１１は、デジタル写真等を表示する。図３に示すように、表示部１１は、表示パネル３２と、表示コントローラ３３と、に対応している。表示パネル３２は、例えば液晶ディスプレイ（ＬＣＤ）である。表示コントローラ３３は、表示パネル３２を制御して、表示パネル３２に画像を表示させる。表示部１１は、広義の意味で、データを再生する再生部であるともいえる。
【００２３】
通信部１２は、他のＤＰＦ１や、サーバ２とインターネット３を介して接続し、それらとデータ通信を行う。図３に示すように、通信部１２は、通信Ｉ／Ｆ３４と、通信コントローラ３５と、に対応している。通信Ｉ／Ｆ３４は、インターネット３、すなわち通信ネットワークに接続する通信インターフェイスである。通信コントローラ３５は、通信Ｉ／Ｆ３４とインターネット３を介して接続される通信先との間の通信制御を行う。
【００２４】
メディアカード部１３は、メディアカードのインターフェイスである。図３に示すように、メディアカード部１３は、カードスロット３６と、メディアコントローラ３７と、に対応している。カードスロット３６には、フラッシュメモリを有するメモリカード５が差し込まれる。メディアコントローラ３７は、カードスロット３６を介して、メモリカード５との間でデータの入出力制御を行う。
【００２５】
記憶部１４は、各種データを記憶する。図３に示すように、記憶部１４は、メモリ３８と、メモリコントローラ３９と、に対応している。メモリ３８は、ＲＯＭ（Read Only Memory）及びＤＲＡＭ（Dynamic Random Access Memory）を含む。メモリコントローラ３９は、メモリ３８を制御する。記憶部１４のメモリ３８には、各種プログラムの他、表示部１１に表示されるデジタル写真の画像データ（写真データ）が記憶される。
【００２６】
制御部１５は、ＤＰＦ１の構成要素を統括制御する。図３に示すように、制御部１５は、ＣＰＵ４０に対応している。ＣＰＵ４０が、記憶部１４に記憶されたプログラムを実行することにより、上記制御が実現される。
【００２７】
より具体的には、制御部１５は、複数のＤＰＦ１各々で協調して表示される写真データを指定した操作コマンドがユーザＩ／Ｆ１０に入力されると、その写真データの識別情報を含む協調表示コマンドを、通信部１２を介して他のＤＰＦ１に送信する。この協調表示コマンドは、指定された写真データを複数のＤＰＦ１で協調して表示するためのコマンドである。本実施形態では、この協調表示コマンドが、協調再生コマンドに対応する。さらに、制御部１５は、写真データの識別情報に基づいて、表示対象である写真データを取得し、取得された写真データを記憶部１４に記憶させるとともに表示部１１に表示させる。
【００２８】
さらに、制御部１５は、通信部１２を介して、他のＤＰＦ１から、協調表示コマンドを受信すると、協調表示コマンドに含まれる写真データの識別情報に基づいて、表示対象である写真データを取得し、取得された写真データを記憶部１４に記憶させるとともに、表示部１１に表示させる。
【００２９】
制御部１５は、写真データの表示状態を調整するための調整情報を含む操作コマンドがユーザＩ／Ｆ１０に入力されると、通信部１２を介して他のＤＰＦ１にその調整情報を含む協調調整コマンドを送信する。協調調整コマンドとは、データの再生状態を協調して調整するためのコマンドである。また、制御部１５は、協調調整コマンドに含まれる調整情報に従って、表示部１１における写真データの表示状態を調整する。
【００３０】
また、制御部１５は、通信部１２を介して、協調調整コマンドを受信すると、その協調調整コマンドに含まれる調整情報に従って、表示部１１における写真データの表示状態を調整する。
【００３１】
また、制御部１５は、通信部１２を介して、協調表示コマンドの表示対象である写真データをサーバ２又は他のＤＰＦ１から取得することも可能である。
【００３２】
続いて、サーバ２の構成についてさらに詳細に説明する。図４には、サーバ２の機能的な構成が示されている。図４に示すように、サーバ２は、通信部２２と、記憶部２４と、制御部２５と、を備える。
【００３３】
図５には、サーバ２のハードウエア構成が示されている。図５に示すように、サーバ２は、そのハードウエア構成として、通信Ｉ／Ｆ４４と、通信コントローラ４５と、メモリ４８と、メモリコントローラ４９と、ＣＰＵ５０と、を備える。図４に示す構成要素は、後述するように、図５に示すハードウエア構成に基づいて実現されている。
【００３４】
通信部２２は、インターネット３を介して接続される外部機器との通信を行う。図５に示すように、通信部２２は、通信Ｉ／Ｆ４４と、通信コントローラ４５と、に対応している。通信Ｉ／Ｆ４４は、インターネット３を介してデータを送受信する。通信コントローラ４５は、通信Ｉ／Ｆ４４を介して接続される通信先（ＤＰＦ１）との間の通信制御を行う。
【００３５】
記憶部２４は、各種データを記憶する。図５に示すように、記憶部２４は、メモリ４８と、メモリコントローラ４９と、に対応している。メモリ４８は、大容量のハードディスクである。メモリコントローラ４９は、メモリ４８に対するデータの記憶・読み出し制御を行う。記憶部２４には、各種プログラムの他、表示部１１に表示される写真データが多数蓄積されたデータベースが構築されている。
【００３６】
ＤＰＦ１がサーバ２に写真データを送信すると、サーバ２は、その写真データを記憶部２４に構築されたデータベースに蓄積する。また、サーバ２は、ＤＰＦ１以外の他のＤＰＦや、パーソナルコンピュータ（ＰＣ）、スマートフォン、ネットワーク接続可能なデジタルカメラ等（いずれも図示せず）から送信された写真データも記憶部２４のデータベースに蓄積する。このように、サーバ２の記憶部２４のデータベースには、不特定多数のユーザから送信された写真データも蓄積される。
【００３７】
制御部２５は、サーバ２の構成要素を統括制御する。制御部２５は、ＣＰＵ５０に対応している。ＣＰＵ５０が、記憶部２４に記憶されたプログラムを実行することにより、上記制御が実現される。
【００３８】
次に、本実施形態に係る再生システム１００の動作について説明する。ここで、前提として２台のＤＰＦ１Ａ、１Ｂは、それぞれ離れた場所（例えば孫の家と祖父母の家）に設置されているものとする。
【００３９】
（同一の写真データの表示動作その１）
まず、図６乃至図１０を参照して、ＤＰＦ１Ａ、１Ｂに同一の写真データを表示させる際の動作について説明する。図６には、２台のＤＰＦ１Ａ、１Ｂに同一の写真データを表示させる際の再生システム１００の全体動作が示されている。また、図７乃至図１０には、その動作中の個々の時点における再生システム１００の様子が模式的に示されている。
【００４０】
まず、図６に示すように、再生システム１００では、ＤＰＦ１Ａの制御部１５が、ＤＰＦ１Ｂの制御部１５に、ピア・ツー・ピア接続要求を送信する（ステップＳ１）。ＤＰＦ１Ｂの制御部１５は、ＤＰＦ１Ａの制御部１５との接続処理を行う（ステップＳ２）。その後、ＤＰＦ１Ｂの制御部１５は、ＡＣＫ（接続完了通知）をＤＰＦ１Ａの制御部１５に返信する（ステップＳ３）。これにより、図７に示すように、ＤＰＦ１Ａ、１Ｂ間で、ピア・ツー・ピア接続が確立する。
【００４１】
ここで、ユーザは、サーバ２に蓄積された写真データの中から所定の写真データをＤＰＦ１Ａに表示させようとする場合、図８に示すように、ユーザがリモコン４を操作して、操作コマンドをＤＰＦ１Ａに入力する。この操作コマンドは、ＤＰＦ１Ａ、１Ｂ両方に、サーバ２に蓄積された所定の写真データを取得させ、それを記憶し、協調表示させるための協調表示コマンドである。この協調表示コマンドにより、表示すべき写真データが指定される。
【００４２】
図６に示すように、ＤＰＦ１Ａの制御部１５は、リモコン４から送られた操作コマンドをユーザＩ／Ｆ１０を介して入力する（ステップＳ４）。なお、図８では、リモコン４によりＤＰＦ１Ａに操作コマンドを入力しているが、操作コマンドをＤＰＦ１Ａに入力する方法としては、これには限られない。ユーザは、ユーザＩ／Ｆ１０の操作パネル等を操作して、操作コマンドをＤＰＦ１Ａに入力するようにしてもよい。
【００４３】
続いて、ＤＰＦ１Ａの制御部１５は、受信した操作コマンドを解析するコマンド解析処理を行う（ステップＳ５）。ここで、ＤＰＦ１Ａの制御部１５は、受信した操作コマンドが、協調表示コマンドであることを解析結果として得る。
【００４４】
この解析結果を受けて、ＤＰＦ１Ａの制御部１５は、通信部１２を介して、ＤＰＦ１Ｂの制御部１５に、協調表示コマンドを送信する（ステップＳ６）。この協調表示コマンドは、ＤＰＦ１Ａの制御部１５が、ユーザＩ／Ｆ１０を介して受信した操作コマンドと同じ内容のコマンドであり、表示対象となる写真データの識別情報が含まれている。この協調表示コマンドを受信した後のＤＰＦ１Ｂの動作については後述する。
【００４５】
続いて、ＤＰＦ１Ａの制御部１５は、操作コマンドにより指定された写真データの識別情報に基づいて、通信部１２を介して、サーバ２の制御部２５に写真データの送信要求を送信する（ステップＳ７）。ＤＰＦ１Ａの制御部１５は、この送信要求に応じて、サーバ２の制御部２５から送られてくる写真データを、通信部１２を介して受信する（ステップＳ８）。ＤＰＦ１Ａの制御部１５は、記憶部１４の写真データの格納領域に、受信した写真データを記憶する（ステップＳ９）。さらに、ＤＰＦ１Ａの制御部１５は、記憶部１４に記憶された写真データを表示部１１に表示させる（ステップＳ１０）。これにより、図９に示すように、ＤＰＦ１Ａには、送信要求に応じてサーバ２の制御部２５から送られた写真データが表示される。
【００４６】
一方、上記ステップＳ６において、ＤＰＦ１Ａの制御部１５から送信された協調表示コマンドを受信したＤＰＦ１Ｂの制御部１５は、その協調表示コマンドを解析するコマンド解析処理を行う（ステップＳ１１）。
【００４７】
続いて、ＤＰＦ１Ｂの制御部１５は、協調表示コマンドの解析内容に従って、通信部１２を介して、サーバ２の制御部２５に写真データの送信要求を送信する（ステップＳ１２）。ＤＰＦ１Ｂの制御部１５は、この送信要求に応じて、サーバ２の制御部２５から送られてくる写真データを、通信部１２を介して受信する（ステップＳ１３）。ＤＰＦ１Ｂの制御部１５は、記憶部１４の写真データの格納領域に、受信した写真データを記憶する（ステップＳ１４）。さらに、ＤＰＦ１Ｂの制御部１５は、記憶部１４に記憶された写真データを、表示部１１に表示させる（ステップＳ１５）。これにより、図１０に示すように、ＤＰＦ１Ｂには、送信要求に応じてＤＰＦ１Ａに表示された写真データが表示される。この時点で、ＤＰＦ１Ａ、１Ｂに同一の写真データが表示されたことになる。
【００４８】
続いて、ＤＰＦ１Ｂの制御部１５は、表示部１１による表示が完了した時点で、ＤＰＦ１Ａの制御部１５に対してＡＣＫ（コマンド完了通知）を返信する（ステップＳ１６）。
【００４９】
なお、表示対象の写真データは、サーバ２ではなく、他方のＤＰＦ（１Ａ又は１Ｂ）に格納されている場合には、サーバ２ではなく、他方のＤＰＦから写真データを取得すればよい。また、自身の記憶部１４に写真データが入力されている場合には、自身の記憶部１４から写真データを取得して、他方のＤＰＦに写真データを送信するとともに、表示部１１にその写真データを表示させるようにすればよい。
【００５０】
（写真データの表示状態の調整動作）
次に、ＤＰＦ１Ａ、１Ｂの表示部１１に表示される写真データの表示状態の調整動作について、図１１乃至図１３を参照して説明する。ここでは、ＤＰＦ１Ａ、１Ｂの表示部１１に表示される写真データを拡大する場合について説明する。なお、ＤＰＦ１Ａ、１Ｂの表示部１１の表示画面（例えばＬＣＤ）の解像度が同一であるものとする。
【００５１】
図１１には、写真を拡大する際の全体動作が示され、動作中の個々の時点における再生システム１００の状態が模式的に示されている。ここで、前提として、図６に示す全体動作が実行され、ＤＰＦ１Ａ、１Ｂ間で、ピア・ツー・ピア接続が確立され、ＤＰＦ１Ａ、１Ｂの表示部１１に同一の写真データが表示されているものとする。
【００５２】
図１２に示すように、ユーザがリモコン４を操作して、写真データの表示状態を調整する旨の操作コマンドをＤＰＦ１Ａの制御部１５にユーザＩ／Ｆ１０を介して送信する。この操作コマンドは、現在表示している写真データを拡大して再表示するという協調調整コマンドである。協調調整コマンドには、拡大率や拡大する際の基準となる基準座標等の調整情報も含まれている。
【００５３】
図１１に示すように、ＤＰＦ１Ａの制御部１５は、操作コマンドを入力すると（ステップＳ２１）、ＤＰＦ１Ａの制御部１５は、受信した操作コマンドのコマンド解析処理を行う（ステップＳ２２）。ここで、ＤＰＦ１Ａの制御部１５は、受信した操作コマンドが、写真データの拡大表示の協調調整コマンドであることを解析結果として得る。
【００５４】
続いて、図１１、図１２に示すように、ＤＰＦ１Ａの制御部１５は、ＤＰＦ１Ｂの制御部１５に対して協調調整コマンドを送信する（ステップＳ２３）。この協調調整コマンドには、ＤＰＦ１Ａの制御部１５が受信した操作コマンドの内容、すなわち写真データの調整情報（拡大率や基準座標等）が含まれている。
【００５５】
続いて、ＤＰＦ１Ａの制御部１５は、操作コマンドに含まれる調整情報に基づいて、写真データを調整する調整処理を行い（ステップＳ２４）、調整された写真データを表示部１１に再表示させる（ステップＳ２５）。ここでは、例えば、ＤＰＦ１Ａの制御部１５は、拡大率や基準座標等に基づいて、表示している写真データを拡大して、拡大された写真データを表示部１１に再表示させる。
【００５６】
一方、ＤＰＦ１Ｂの制御部１５は、ＤＰＦ１Ａの制御部１５から送信された協調調整コマンドを受信すると、受信した協調調整コマンドを解析するコマンド解析処理を行う（ステップＳ２６）。
【００５７】
続いて、ＤＰＦ１Ｂの制御部１５は、協調調整コマンドに含まれる調整情報に基づいて、現在表示している写真データを調整する調整処理を行い（ステップＳ２７）、調整された写真データを表示部１１に再表示させる（ステップＳ２８）。そして、ＤＰＦ１Ｂの制御部１５は、表示部１１による再表示が完了した時点でＤＰＦ１Ａの制御部１５に対してコマンド完了を示すＡＣＫ（コマンド完了通知）を返信する（ステップＳ２９）。
【００５８】
なお、ＤＰＦ１Ａ、１Ｂの制御部１５は、表示部１１に表示された写真データを縮小表示しようとする場合にも、同様の調整動作により実現可能である。また、ＤＰＦ１Ａ、１Ｂの制御部１５は、写真データの拡大又は縮小表示の他、アート変換等の画像処理によって画質を調整する場合にも、同様の調整動作により実現可能である。
【００５９】
（写真データの表示状態の再調整動作）
上述のように、ＤＰＦ１Ａを操作することにより、ＤＰＦ１Ａ、１Ｂに表示される写真データの調整が可能となったが、この調整後、他方のＤＰＦ１Ｂを操作することにより、表示された写真データを再調整することも可能である。例えば、ＤＰＦ１Ａからの操作により、図１４（Ａ）に示すＤＰＦ１Ａ、１Ｂの表示部１１に表示される写真データを、図１４（Ｂ）に示すように拡大した後、ＤＰＦ１Ｂからの操作により、図１４（Ｃ）に示すように、さらに拡大して表示することも可能である。
【００６０】
図１５には、この再調整が行われる場合の再生システム１００の全体動作が示されている。図１５に示すように、ステップＳ２１乃至ステップＳ２９については、上述した通りである。ＤＰＦ１ＢがＡＣＫ（コマンド完了通知）を送信した後（ステップＳ２９）、ＤＰＦ１Ｂの表示部１１に表示された写真データを見た者が、リモコン４等を操作すると、ＤＰＦ１Ｂの制御部１５は、その操作コマンドを入力する（ステップＳ３０）。この操作コマンドには、表示された写真データの調整情報が含まれている。
【００６１】
続いて、ＤＰＦ１Ｂの制御部１５は、受信した操作コマンドのコマンド解析処理を行う（ステップＳ３１）。続いて、ＤＰＦ１Ｂの制御部１５は、ＤＰＦ１Ａの制御部１５に対して協調調整コマンドを送信する（ステップＳ３２）。
【００６２】
さらに、ＤＰＦ１Ｂの制御部１５は、協調調整コマンドに含まれる調整情報に従って、写真データの表示状態の調整処理を行い（ステップＳ３３）、調整処理により調整された写真データを表示部１１に再表示させる（ステップＳ３４）。
【００６３】
一方、ＤＰＦ１Ａの制御部１５は、ＤＰＦ１Ｂの制御部１５から送信された協調調整コマンドを受信すると、受信した協調調整コマンドのコマンド解析処理を行う（ステップＳ３５）。
【００６４】
続いて、ＤＰＦ１Ａの制御部１５は、協調調整コマンドに含まれる調整情報に基づいて、現在表示している写真データの表示状態を調整する調整処理を行い（ステップＳ３６）、調整により得られた写真を表示部１１に再表示させる（ステップＳ３７）。そして、ＤＰＦ１Ａの制御部１５は、表示部１１による再表示が完了した時点で、ＤＰＦ１Ｂの制御部１５に対してコマンド完了を示すＡＣＫ（コマンド完了通知）を返信する（ステップＳ３８）。
【００６５】
このように、ＤＰＦ１Ａからの操作により調整されたＤＰＦ１Ａ、１Ｂの表示部１１に表示された写真データの表示状態を、ＤＰＦ１Ｂからの操作により再調整可能とすれば、ＤＰＦ１Ａを操作した者が、写真データの表示状態がどのように変更されたかを確認することができるので、そのときの画像の表示状態の調整結果を、次にＤＰＦ１Ａの方から画像を調整する際の参考にすることができる。例えば、孫のＤＰＦ１Ａからの操作により、図１４（Ｂ）に示すように拡大された写真データが、祖父母のＤＰＦ１Ｂからの操作により、図１４（Ｃ）に示すようにさらに拡大された場合に、孫は、自身が指示した拡大倍率が、祖父母が望む拡大倍率よりも小さいものであったことを知ることができる。これにより、孫は、次回、ＤＰＦ１Ａを操作して、写真データを拡大する場合に、今回の拡大倍率よりも大きい拡大倍率、すなわち祖父母が所望する拡大倍率で、写真データの拡大調整を行うことができる。
【００６６】
（同一の写真データの表示動作その２）
次に、図１６（Ａ）乃至図１６（Ｃ）、図１７を参照して、２台のＤＰＦ１Ａ、１Ｂにおける同一の写真データの表示動作（その２）について説明する。
【００６７】
これまでは、サーバ２に格納された写真データをＤＰＦ１Ａ、１Ｂで同時に表示する場合について説明した。しかしながら、図１６（Ａ）に示すように、例えば、ＤＰＦ１Ａの記憶部１４に格納された写真データＡと、ＤＰＦ１Ｂの記憶部１４に格納された写真データＢとを両方、ＤＰＦ１Ａ、１Ｂに同時に協調表示させることも可能である。
【００６８】
図１７には、２つの写真データを同時に両方表示する際の再生システム１００の全体動作が示されている。図１７に示すように、ステップＳ１乃至Ｓ３の処理は、上述の通りである。
【００６９】
ここで、サーバ２に蓄積された写真データの中から所定の写真データをＤＰＦ１Ａに表示させようとする場合、ユーザがリモコン４を操作して、操作コマンドをＤＰＦ１Ａに入力する（ステップＳ４）。この操作コマンドは、ＤＰＦ１Ａ、１Ｂの両方に、他方のＤＰＦ１Ａ（又は１Ｂ）に記憶された写真データを取得させ、取得させた写真データを記憶し、その写真データと、元々記憶していた写真データとを２枚同時に協調表示させるという協調表示コマンドである。この協調表示コマンドには、表示すべき写真データの識別情報が含まれている。
【００７０】
操作コマンドをユーザＩ／Ｆ１０を介して受信すると、ＤＰＦ１Ａの制御部１５は、受信した操作コマンドのコマンド解析処理を行う（ステップＳ５）。ここで、ＤＰＦ１Ａの制御部１５は、受信した操作コマンドが、ＤＰＦ１Ａ、１Ｂに、一方が記憶する写真データと、他方が記憶する写真データとの２画面表示の協調表示コマンドであることを解析結果として得る。
【００７１】
この解析結果を受けて、ＤＰＦ１Ａの制御部１５は、ＤＰＦ１Ｂの制御部１５に、協調表示コマンドを送信する（ステップＳ６）。この協調表示コマンドには、表示対象の写真データの識別情報が含まれている。ＤＰＦ１Ａの制御部１５から送信された協調表示コマンドを受信したＤＰＦ１Ｂの制御部１５は、その協調表示コマンドのコマンド解析処理を行う（ステップＳ１１）。
【００７２】
この時点で、ＤＰＦ１Ａ、１Ｂの制御部１５は、協調表示コマンドを解析して、相手に送信すべき写真データの識別情報を抽出している。ここで、ＰＤＦ１Ａの制御部１５が送信すべき、ＤＰＦ１Ａに記憶された表示対象の写真データを写真データＡとし、ＰＤＦ１Ｂの制御部１５が送信すべき、ＤＰＦ１Ｂに記憶された表示対象の写真データを写真データＢとする。ＤＰＦ１Ｂの制御部１５は、写真データＢを記憶部１４から読み出して、ＤＰＦ１Ａの制御部１５に送信する（ステップＳ１７）。また、ＤＰＦ１Ａの制御部１５は、写真データＡを記憶部１４から読み出して、ＤＰＦ１Ｂの制御部１５に送信する（ステップＳ１８）。
【００７３】
ＤＰＦ１Ａの制御部１５は、記憶部１４の写真データの格納領域に、受信した写真データＢを記憶する（ステップＳ９）。さらに、ＤＰＦ１Ａの制御部１５は、記憶部１４に記憶している写真データＡ、Ｂ両方を表示部１１に表示させる（ステップＳ１０）。一方、ＤＰＦ１Ｂの制御部１５は、記憶部１４の写真データの格納領域に、受信した写真データＡを記憶する（ステップＳ１４）。さらに、ＤＰＦ１Ｂの制御部１５は、写真データＡ、Ｂ両方を、表示部１１に表示させる（ステップＳ１５）。続いて、ＤＰＦ１Ｂの制御部１５は、表示部１１による表示が完了した時点で、ＤＰＦ１Ａの制御部１５に対してＡＣＫ（コマンド完了通知）を返信する（ステップＳ１６）。これにより、図１６（Ａ）に示すように、ＤＰＦ１Ａ、１Ｂ各々に写真データＡ、Ｂが両方表示される。
【００７４】
このように、２つの写真データを表示するような場合にも、２つの写真データＡ、Ｂの調整が可能である。例えば、図１６（Ｂ）に示すように、ＤＰＦ１Ａから、２つの写真データＡ、Ｂ両方の拡大も可能であるし、図１６（Ｃ）に示すように、ＤＰＦ１Ｂから、２の写真データＡ、Ｂのうち、例えば写真データＢのみの拡大表示も可能となる。いずれにしても、一方のＤＰＦ１の操作により、２台のＤＰＦ１に表示された写真データの調整後、他方のＤＰＦを操作することにより、調整された写真データを１枚ずつ或いは全て再調整することが可能である。このようにすれば、一方のＤＰＦ１を操作した者が、他方のＤＰＦ１により写真データの表示状態が再調整されたことを確認することができるので、その再調整結果を、ＤＰＦ１Ａの側から写真データを次に調整する際の参考にすることができる。
【００７５】
以上詳細に説明したように、本実施形態では、ＤＰＦ１Ａの制御部１５は、表示部１１に再生させる写真データの識別情報を含む協調表示コマンドを他のＤＰＦ１Ｂに送信する。これにより、他のＤＰＦ１Ｂでも協調再生コマンドに含まれる識別情報に係る写真データを再生することができるので、複数のＤＰＦ１Ａ、１Ｂでの同一の写真データの協調表示が可能となる。すなわち、本実施形態によれば、操作コマンドをユーザＩ／Ｆ１０に入力するだけで、複数のＤＰＦ１Ａ、１Ｂでの同一の写真データの協調再生が可能となるので、ユーザの操作負担を軽減することができる。
【００７６】
本実施形態では、ＤＰＦ１Ａ、１Ｂは、サーバ２に蓄積された写真データを取得して、同時に表示する。このようにすれば、共用のために一旦サーバ２に蓄積しておいた写真データを、ＤＰＦ１Ａ、１Ｂで同時に表示させることができる。
【００７７】
これに限らず、ＤＰＦ１Ａは、ＤＰＦ１Ｂから写真データを取得して表示することもできるし、ＤＰＦ１Ｂは、ＤＰＦ１Ａから写真データを取得して表示することもできる。また、ＤＰＦ１Ａ、１Ｂは、自身の記憶部１１に格納された写真データを他方に送信して表示させることもできる。このようにすれば、サーバ２を用意することなく、ＤＰＦ１Ａ、１Ｂでの同一の写真データの協調表示が可能となる。
【００７８】
また、本実施形態によれば、ＤＰＦ１Ａ、１Ｂに同時に２枚以上の写真データを同時に表示させることができる。再生システム１００では、同時に表示される写真データを、異なる箇所からそれぞれ取得したものとすることができる。本実施形態では、ＤＰＦ１Ａに記憶された写真データＡと、ＤＰＦ１Ｂに記憶された写真データＢとを、同時に表示したが、サーバ２に記憶された２枚以上の写真データや、サーバ２に記憶された写真データと、ＤＰＦ１Ａ、１Ｂ等に記憶された写真データとについても、同じような手順で、同時表示させることができる。
【００７９】
また、本実施形態では、ＤＰＦ１Ａの制御部１５は、表示部１１に再生させる写真データの調整情報を含む協調調整コマンドを他のＤＰＦ１Ｂの制御部１５に送信する。これにより、他のＤＰＦ１Ｂでも、この協調表示コマンドに含まれる調整情報に基づいて写真データを調整することができるので、複数のＤＰＦ１１Ａ、１Ｂでの同一の写真データの協調調整が可能となる。すなわち、本実施形態によれば、操作コマンドをユーザＩ／Ｆ１０に入力するだけで、複数のＤＰＦ１Ａ、１Ｂでの同一のデータの協調調整が可能となるので、ユーザの操作負担を軽減することができる。この協調調整は相互に可能であるので、一方のユーザが、他方のユーザによってどのような表示状態が望まれているのかを把握して、次回の調整に役立てることができる。
【００８０】
また、本実施形態では、複数の写真データが表示させている場合に、一部の写真データを協調して調整することも可能である。これにより、ＤＰＦ１Ａ、１Ｂの使い勝手をより向上させることができる。
【００８１】
また、上記実施形態では、２台のＤＰＦ１Ａ、１Ｂでの同一の画像の同時表示について説明したが、３台以上のＤＰＦ１の写真データの協調表示も可能である。例えば、ＤＰＦ１Ａ、ＤＰＦ１Ｂ、ＤＰＦ１Ｃ、…がある場合には、ＤＰＦ１Ａがユーザからの操作コマンドを入力すると、ＤＰＦ１Ｂ、１Ｃ、…に対してネットワーク経由でその操作コマンドの内容を含むコマンド（協調表示コマンド、協調調整コマンド）を送信し、コマンドを受信した各ＤＰＦ１においてコマンドに応じた処理を実行すればよい。
【００８２】
また、本発明は、ネット音楽教室のような教育システムにも応用することができる。たとえば、ネット音楽教室の先生が、楽譜・楽曲データをサーバ２にアップしておく。そして、先生と生徒の双方の再生装置（端末装置）をピア・ツー・ピア接続する。その上で、先生側の再生装置から生徒側の再生装置へコマンドを発行すると、生徒側の再生装置がインターネット３経由でサーバ２にアクセスし、事前に先生がアップしておいた楽譜・楽曲データを生徒側の再生装置のローカルメモリ上にダウンロードするという仕組みを提供することができる。
【００８３】
このように、本発明は、写真や動画を再生するものに限られず、音声データを再生する再生装置にも適用することができる。
【００８４】
なお、上記実施形態では、ＤＰＦ１を連動させる場合について説明したが、表示機能とネットワーク接続機能とを有する再生装置であれば、本発明を適用可能である。例えば、再生装置は、デジタルカメラやパーソナルコンピュータであってもよい。
【００８５】
また、上記実施形態では、インターネット３を介して再生装置（ＤＰＦ１）とサーバ２とを通信可能に接続したが、インターネット３である必要はなく、通信ネットワークは、例えばＬＡＮ等であってもよい。
【００８６】
また、上記実施形態では、サーバ２が、写真データを共有する場合について説明したが、本発明はこれに限られるものではない。例えば、動画や音声その他のデータなどサーバ２において共有する場合にも本発明を適用することができる。
【００８７】
なお、上記実施の形態において、実行されるプログラムは、フレキシブルディスク、ＣＤ−ＲＯＭ（Compact Disk Read-Only Memory）、ＤＶＤ（Digital Versatile Disk）、ＭＯ（Magneto-Optical Disk）等のコンピュータ読み取り可能な記録媒体に格納して配布し、そのプログラムをインストールすることにより、上述の処理を実行するシステムを構成することとしてもよい。
【００８８】
また、プログラムをインターネット等の通信ネットワーク上の所定のサーバ装置が有するディスク装置等に格納しておき、例えば、搬送波に重畳させて、ダウンロード等するようにしてもよい。
【００８９】
また、上述の機能を、ＯＳ（Operating System）が分担して実現する場合又はＯＳとアプリケーションとの協働により実現する場合等には、ＯＳ以外の部分のみを媒体に格納して配布してもよく、また、ダウンロード等してもよい。
【００９０】
なお、本発明は、上記実施の形態及び図面によって限定されるものではない。本発明の要旨を変更しない範囲で実施の形態及び図面に変更を加えることができるのはもちろんである。
【産業上の利用可能性】
【００９１】
本発明は、遠隔地に設置された複数の再生装置でのデータの協調再生に好適である。
【符号の説明】
【００９２】
１、１Ａ、１Ｂ…デジタルフォトフレーム（ＤＰＦ）、２…サーバ、３…インターネット、４…リモートコントローラ（リモコン）、５…メモリカード、１０…ユーザインターフェイス（Ｉ／Ｆ）、１１…表示部、１２…通信部、１３…メディアカード部、１４…記憶部、１５…制御部、３０…操作部、３１…入力コントローラ、３２…表示パネル、３３…表示コントローラ、３４…通信インターフェイス（Ｉ／Ｆ）、３５…通信コントローラ、３６…カードスロット、３７…メディアコントローラ、３８…メモリ、３９…メモリコントローラ、４０…ＣＰＵ、４１…バス
【図１】
0005445172.tif 000002
【図２】
0005445172.tif 000003
【図３】
0005445172.tif 000004
【図４】
0005445172.tif 000005
【図５】
0005445172.tif 000006
【図６】
0005445172.tif 000007
【図７】
0005445172.tif 000008
【図８】
0005445172.tif 000009
【図９】
0005445172.tif 000010
【図１０】
0005445172.tif 000011
【図１１】
0005445172.tif 000012
【図１２】
0005445172.tif 000013
【図１３】
0005445172.tif 000014
【図１４】
0005445172.tif 000015
【図１５】
0005445172.tif 000016
【図１６】
0005445172.tif 000017
【図１７】
0005445172.tif 000018